(57)【要約】【課題】折り上げられた用紙の排出の際に、用紙の最終折り面後端部分に、ローラ対による不要な折り目や角折れが発生しないようにする。【解決手段】２組の折りローラ対２２０，２３０を備え、用紙をジグザグ折りすることができる紙折り機構部２００を備える。この紙折り機構部２００による用紙９００の折りたたみ後の排出の際に、最終折りたたみを行った折りローラ対による用紙９００の移動方向に、この用紙を移送し排出する。【選択図】　　　　図１
2004067266.tif 000002
【特許請求の範囲】
【請求項１】
供給された用紙を、ジグザグ状に折りたたんで排出する紙折り機であって、次の各構成を有することを特徴とする紙折り機。
（イ）　互いに接近する方向に加圧されながら回転する上ローラ及び下ローラを含み、これら上ローラ・下ローラ間に前記用紙の、ジグザグ状折りの一方の折り目となる部分を挟み込んで回転し、前記用紙をこの一方の折り目部分で折りたたむ第１の折りローラ対と、
互いに接近する方向に加圧されながら回転する上ローラ及び下ローラを含み、これら上ローラ・下ローラ間に前記用紙の、ジグザグ状折りの他方の折り目となる部分を挟み込んで回転し、前記用紙をこの他方の折り目部分で折りたたむ第２の折りローラ対と、
これら第１，第２の折りローラ対の上ローラと下ローラとの間に挟まれてこれら折りローラ対の用紙折りたたみ動作に連動して移動し、かつ折り上げられた用紙のその排出方向への移動を助ける、折りベルトと、
を備えた紙折り機構部
（ロ）　前記紙折り機構部の動作を、前記用紙の折りたたみ形態に合わせて制御し、かつ、この紙折り機構部で折り上げられた用紙の排出を、最終折りたたみ動作を行った折りローラ対により、その折りたたみ方向に排出するよう制御する、制御部
【請求項２】
前記制御部の制御下で行われる、前記紙折り機構部による用紙の折りたたみ動作が、まず、供給された用紙の先端部分を前記第１，第２の折りローラ対のうちの一方でくわえ込んだ後、前記用紙の最初の折り目となる部分を前記第１，第２の折りローラ対のうちの他方でくわえ込んで折りたたみ、続いて、前記用紙の次の折り目となる部分を前記第１，第２の折りローラ対のうちの一方でくわえ込んで折りたたむ、という動作を交互にくり返すことにより、前記用紙に対するジグザグ折りが行われる場合に、折り上げられた用紙の排出方向が、前記第１の折りローラ対及び第２の折りローラ対のうちの、前記用紙に対する折り面数が奇数である場合には供給された用紙の先端部分を最初にくわえ込んだ折りローラ対側であり、前記用紙に対する折り面数が偶数である場合には前記用紙の最初の折り目となる部分をくわえ込んだ折りローラ対側であるように制御される、請求項１記載の紙折り機。
【発明の詳細な説明】
【０００１】
【発明の属する技術分野】
本発明は紙折り機に関し、特に供給された用紙をジグザグ状に折りたたんで排出する紙折り機に属する。
【０００２】
【従来の技術】
図面などの用紙をジグザグ状に折りたたんで排出する紙折り機には、その用紙の折り目部分をくわえ込んで折りたたむ、折りローラ対が２組必要である。このような紙折り機の従来の一例を図３に、その用紙に対する折りたたみ、排出動作を説明するための図を図４（ａ）〜（ｅ）に示す。
この従来の紙折り機は、その主構成として、給紙機構部１００、紙折り機構部２００ｘ、及び排出ローラ対４００を有し、これら各部の詳細は次のとおりである。
【０００３】
まず、その用紙折りたたみを担当する紙折り機構部２００ｘは、互いに接近する方向に加圧されながら回転する上ローラ２２１ｘ及び下ローラ２２２ｘを含み、これら上ローラ２２１ｘ・下ローラ２２２ｘ間に用紙９００の、ジグザグ状折りの一方の折り目となる部分を挟み込んで回転し、この部分で用紙９００を折りたたむ第１の折りローラ対２２０ｘと、互いに接近する方向に加圧されながら回転する上ローラ２３１ｘ及び下ローラ２３２ｘを含み、これら上ローラ２３１ｘ・下ローラ２３２ｘ間に用紙９００の、ジグザグ状折りの他方の折り目となる部分を挟み込んで回転し、この部分で用紙９００を折りたたむ第２の折りローラ対２３０ｘと、これら第１，第２の折りローラ対２２０ｘ，２３０ｘの上ローラ２２１ｘ，２３１ｘと下ローラ２２２ｘ，２３２ｘとの間に挟まれてこれら折りローラ対（２２０ｘ，２３０ｘ）の用紙折りたたみ動作に連動して移動し、かつ折り上げられた用紙９００の、その排出方向への移動を助ける、折りベルト２１０ｘと、供給された用紙９００の、折り目部分を第１，第２の折りローラ対２２０ｘ，２３０ｘの上ローラ２２１ｘ，２３１ｘと下ローラ２２２ｘ，２３２ｘとの間に入り込ませる、第１の折りナイフ２４０ｘ及び第２の折りナイフ２５０ｘと、を備えている。
【０００４】
次に、給紙機構部１００は、用紙９００を載せて１枚ずつ順次送り出す給紙台１１０と、この給紙台１１０から送り出された用紙９００を、紙折り機構部２００ｘへとガイドするガイドローラ対１２０と、を備えている。
【０００５】
次に、排出ローラ対４００は、紙折り機構部２００ｘの外側に近接し、その第１，第２の折りローラ対２２０ｘ，２３０ｘのうちの一方の、第２の折りローラ対２３０ｘ側に配置されて、紙折り機構部２００ｘで折り上げられて送られて来た用紙９００をくわえ込んで排出するように、互いに接近する方向に加圧されながら回転する上排出ローラ４１０、下排出ローラ４２０、及び加圧ばね４３０を含んで構成される。
また、この紙折り機には、図３、図４（ａ）〜（ｅ）には示されていないが、これらの各部を制御して用紙９００を折り上げ、かつ排出する、制御部が設けられている。
【０００６】
この紙折り機において、用紙９００をジグザグ状に折りたたむ場合、まず図４（ａ）に示すように、供給された用紙９００の先端部分を、例えば第２の折りローラ対２３０ｘの上ローラ２３１ｘ・下ローラ２３２ｘ間にくわえ込ませた後（このとき、折りナイフ２４０ｘが用紙９００の先端部分をガイドする）、図４（ｂ）に示すように、用紙９００の、ジグザグ状折りの最初の折り目となる部分を、折りナイフ２５０ｘでガイドして第１の折りローラ対２２０ｘの上ローラ２２１ｘ・下ローラ２２２ｘ間にくわえ込ませ、続いて図４（ｃ）に示すように、用紙９００の、ジグザグ状折りの次の折り目となる部分を、折りナイフ２４０ｘでガイドして第２の折りローラ対２３０ｘの上ローラ２３１ｘ・下ローラ２３２ｘ間にくわえ込ませる、という動作をくり返す。
【０００７】
折り上げられた用紙９００は、第１，第２の折りローラ対２２０ｘ，２３０ｘ及び折りベルト２１０ｘにより、排出ローラ対４００方向に移送されて（図４（ｄ），（ｅ）の矢印の方向に）、この排出ローラ対４００の上排出ローラ４１０・下排出ローラ４２０間にくわえられ、排出される。
【０００８】
なお、第１，第２の折りローラ対２２０ｘ，２３０ｘのうちのどちらが、最初に用紙９００の先端部分をくわえるかは、用紙９００の表題欄、スタンプ押印面が必ず外側の面となるように、選択、使用される。
【０００９】
【発明が解決しようとする課題】
上述した従来の紙折り機は、その紙折り機構部２００ｘに、用紙９００をジグザグ状に折りたたむことができる第１の折りローラ対２２０ｘ及び第２の折りローラ対２３０ｘを備えており、この紙折り機構部２００ｘで折り上げられた用紙９００は、紙折り機構部２００ｘにより、その外側の排出ローラ対４００へと移送されてこの排出ローラ対４００にくわえられ、排出されるが、この排出ローラ対４００は、用紙９００の折りたたみ、排出の際の移動方向に対し片方にのみ、配置された構成となっており、しかも、用紙９００の表題欄、スタンプ押印面が必ず外側の面となるように、用紙９００の先端部分を最初にくわえる折りローラ対が選定されるので、用紙９００の大きさ、折り面数、折り寸法などの折り形態によって、最後の折り目が図４（ｄ）に示すように排出ローラ対４００方向に向く場合と、図４（ｅ）に示すように、それとは逆方向に向いてしまう場合とがあり、逆方向に向いてしまった場合には、この用紙９００を、最終折りの際の移動方向とは逆方向に移動させることになり、用紙９００の最終折り面の後端部分が第１，第２の折りローラ対に再突入して排出ローラ対４００へと移送され、この排出ローラ対４００においても、同様に、用紙９００の最終折り面の後端部分が突入することになり、この後端部分は上方に盛り上がる傾向があるために、その突入の際に、用紙９００の最終折り面後端部分に、不要な折り目、角折れ等が発生する、という問題点があった。
なお、最終折りの状態が、第１，第２の折りローラ対２２０ｘ，２３０ｘのうちの一方にのみ、くわえられた状態で停止する場合もあり、この場合にも、最終折り方向とは逆に排出すると、同様の問題がある。
【００１０】
本発明の目的は、上記従来技術の問題点に鑑みて、折り上げられた用紙の排出の際に、用紙を、最終折りたたみの際の移動方向とは逆の方向に移動させることなく、かつ、用紙の最終折り面後端部分に、不要な折り目や角折れ等が発生するのを防止することができる、紙折り機を提供することにある。
【００１１】
【課題を解決するための手段】
本発明の紙折り機は、供給された用紙を、ジグザグ状に折りたたんで排出する紙折り機であって、次の各構成を有することを特徴とする。
（イ）　互いに接近する方向に加圧されながら回転する上ローラ及び下ローラを含み、これら上ローラ・下ローラ間に前記用紙の、ジグザグ状折りの一方の折り目となる部分を挟み込んで回転し、前記用紙をこの一方の折り目部分で折りたたむ第１の折りローラ対と、
互いに接近する方向に加圧されながら回転する上ローラ及び下ローラを含み、これら上ローラ・下ローラ間に前記用紙の、ジグザグ状折りの他方の折り目となる部分を挟み込んで回転し、前記用紙をこの他方の折り目部分で折りたたむ第２の折りローラ対と、
これら第１，第２の折りローラ対の上ローラと下ローラとの間に挟まれてこれら折りローラ対の用紙折りたたみ動作に連動して移動し、かつ折り上げられた用紙のその排出方向への移動を助ける、折りベルトと、
を備えた紙折り機構部
（ロ）　前記紙折り機構部の動作を、前記用紙の折りたたみ形態に合わせて制御し、かつ、この紙折り機構部で折り上げられた用紙の排出を、最終折りたたみ動作を行った折りローラ対により、その折りたたみ方向に排出するよう制御する、制御部
【００１２】
また、前記制御部の制御下で行われる、前記紙折り機構部による用紙の折りたたみ動作が、まず、供給された用紙の先端部分を前記第１，第２の折りローラ対のうちの一方でくわえ込んだ後、前記用紙の最初の折り目となる部分を前記第１，第２の折りローラ対のうちの他方でくわえ込んで折りたたみ、続いて、前記用紙の次の折り目となる部分を前記第１，第２の折りローラ対のうちの一方でくわえ込んで折りたたむ、という動作を交互にくり返すことにより、前記用紙に対するジグザグ折りが行われる場合に、折り上げられた用紙の排出方向が、前記第１の折りローラ対及び第２の折りローラ対のうちの、前記用紙に対する折り面数が奇数である場合には供給された用紙の先端部分を最初にくわえ込んだ折りローラ対側であり、前記用紙に対する折り面数が偶数である場合には前記用紙の最初の折り目となる部分をくわえ込んだ折りローラ対側であるように制御される、構成を有している。
【００１３】
【発明の実施の形態】
本発明の一実施の形態は、供給された用紙をジグザグ状に折りたたんで排出する紙折り機であって、紙折り機構部と、制御部と、を有して構成され、これらの詳細は次のとおりである。
まず、紙折り機構部は、互いに接近する方向に加圧されながら回転する上ローラ及び下ローラを含み、これら上ローラ・下ローラ間に上記用紙の、ジグザグ状折りの一方の折り目となる部分を挟み込んで回転し、上記用紙をこの一方の折り目部分で折りたたむ第１の折りローラ対と、
互いに接近する方向に加圧されながら回転する上ローラ及び下ローラを含み、これら上ローラ・下ローラ間に上記用紙の、ジグザグ状折りの他方の折り目となる部分を挟み込んで回転し、上記用紙をこの他方の折り目部分で折りたたむ第２の折りローラ対と、
これら第１，第２の折りローラ対の上ローラと下ローラとの間に挟まれてこれら折りローラ対の用紙折りたたみ動作に連動して移動し、かつ折り上げられた用紙のその排出方向への移動を助ける、折りベルトと、
を備えている。
【００１４】
次に、制御部は、上記紙折り機構部の動作を、上記用紙の折りたたみ形態に合わせて制御し、かつ、この紙折り機構部で折り上げられた用紙の排出を、最終折りたたみ動作を行った折りローラ対により、その折りたたみ方向に排出するよう制御する。
【００１５】
このような構成とすることにより、最終折り面を折り上げられた用紙は、この最終折り面を折り上げた折りローラ対から抜け出した後、この用紙の最終折り上げの際の移動方向と同一方向に移送されて排出されるので、用紙の最終折り面後端部分が、この部分から折りローラ対へ再突入することはないので、用紙排出の際、用紙の最終折り面後端部分に、不要な折り目や角折れ等が発生するのを防止することができる。
【００１６】
【実施例】
次に本発明の実施例について図面を参照して説明する。
図１は本発明の一実施例を示す各部配置側面図、図２（ａ），（ｂ）は図１に示された実施例の、用紙排出動作を説明するための配置側面図である。
この実施例が、図３及び図４（ａ）〜（ｅ）に示された従来の紙折り機と相違する点は、従来の紙折り機では、折り上げられた用紙の排出方向が一方向のみで、その方向にのみ排出ローラ対が設けられている構成であるのに対し、本発明の紙折り機では、折り上げられた用紙の排出方向が、用紙折り上げの際に用紙を移動させる方向と同一の２方向であり、これら２方向それぞれに排出ローラ対を設けて、最終折り面を折り上げられた用紙が、この最終折り面を折り上げた折りローラ対から抜け出した後、この用紙の最終折り上げの移動方向と同一方向に移送されてその下流側の排出ローラ対から排出される構成となっている点である。なお、これら各部を制御する制御部は、図示省略されている。
【００１７】
すなわち、紙折り機構部２００で折り上げられた用紙９００は、その最終折り面を折り上げた折りローラ対が２３０である場合に（図２（ａ）参照）、この折りローラ対２３０で最終折り面を折り上げる際の用紙９００の移動方向と同一方向に移送されて、その下流の排出対４００から排出される。また、最終折り面を折り上げた折りローラ対が２２０である場合には（図２（ｂ）参照）、この折りローラ対２２０で最紙折り面を折り上げる際の用紙９００の移動方向と同一方向に移送されて、その下流の排出ローラ対３００から排出される。
【００１８】
従って、最終折りたたみの際の用紙９００の移動方向が何れの方向であっても、その移動方向を変えることなく、そのまま同一方向に排出することができ、しかも、最終折り面後端側から折りローラ対（２２０，２３０）及び排出ローラ対（３００，４００）にくわえられることはないので、用紙の最終折り面後端部分に、これら折りローラ対及び排出ローラ対による、不要な折り目や角折れ等が発生するのを防ぐことができる。
【００１９】
この実施例において、紙折り機構部２００、及び２つの排出ローラ対３００，４００は図示省略されている制御部により、用紙９００の折りたたみ動作、及び折り上げられた用紙９００の排出動作が制御され、用紙９００をジグザグ折りする場合には、この用紙９００の折りたたみ動作が、まず、供給された用紙９００の先端部分を、２つの折りローラ対２２０，２３０のうちの一方、例えば図４（ａ）と同様に、２３０側にくわえ込んだ後、最初の折り目部分を、他方の折りローラ対（２２０）でくわえて折りたたみ（図４（ｂ））、続いて、次の折り目部分を一方の折りローラ対（２３０）でくわえ込んで折りたたむ（図４（ｃ））、という動作をくり返すことにより、実行される。
【００２０】
このようなジグザグ折りの場合、折り上げられた用紙９００の排出動作を行う排出ローラ対は、用紙９００に対する折り面数が奇数である場合には、供給された用紙９００の先端部分を最初にくわえ込んだ折りローラ対、すなわち、図４（ａ）の例で言うと、排出ローラ対４００、折り面数が偶数である場合には、その反対側の排出ローラ対３００となるように、制御部により制御される。
【００２１】
この実施例においては、最終折り面を折り上げられた用紙９００は、この最終折り面を折り上げた折りローラ対（例えば図２（ａ）の２３０）から抜け出した後、更にこの用紙９００の最終折り上げの際の移動方向と同一方向に移送されてその下流の排出ローラ対（４００）にくわえられ、排出されるので、用紙９００排出の際に、従来例のように、最終折り上げの際の用紙移動方向とは逆方向に移送する必要はなく、かつ、用紙９００の最終折り面後端部分から折りローラ対２２０，２３０や排出ローラ対３００，４００にくわえられることがないので、この用紙９００の最終折り面後端部分に、これらローラ対による不要な折り目や、角折れ等が発生するのを防止することができる。また、用紙折り込みの際等に、用紙づまりなどのジャムが発生した場合でも、その用紙の排除を円滑かつ容易に行うことができる。
【００２２】
なお、この実施例では、用紙排出機構部として、各排紙方向それぞれに排出ローラ対（３００，４００）が設けられているが、これらは、片方のみ、又は両方とも無くてもよい。
また、この実施例では、最終折りたたみ状態が、第１，第２の折りローラ対２２０，２３０から抜け出した状態となっているが、その片方から抜け出し、他方にくわえられた状態で停止する場合もあり、この場合には、最終折りのローラ対により、その最終折り方向に排出すればよい。
【００２３】
【発明の効果】
以上説明したように本発明は、紙折り機構部の、用紙折りたたみ動作時の用紙移動方向２方向それぞれの下流に、各々、排紙ローラ対を設けた構成とすることにより、最終折り面を折り上げる際の用紙の移動方向と同一方向に移送し、排出することができるので、用紙排出の際に、用紙の移送方向を変える必要がなく、かつ、用紙の最終折り面後端側から折りローラ対、排出ローラ対にくわえられることがないので、用紙の最終折り面部分に、不要な折り目や角折れが発生するのを防止することができる、という効果がある。
【図面の簡単な説明】
【図１】本発明の一実施例を示す各部配置側面図である。
【図２】図１に示された実施例の、用紙排出動作を説明するための配置側面図である。
【図３】従来の紙折り機の一例を示す各部配置側面図である。
【図４】図３に示された紙折り機の、用紙折りたたみ動作及び用紙排出動作を説明するための配置側面図である。
【符号の説明】
１００　給紙機構部
１１０　給紙台
１２０　ガイドローラ対
２００，２００ｘ　紙折り機構部
２１０，２１０ｘ　折りベルト
２２０，２２０ｘ　折りローラ対
２２１，２２１ｘ　上ローラ
２２２，２２２ｘ　下ローラ
２３０，２３０ｘ　折りローラ対
２３１，２３１ｘ　上ローラ
２３２，２３２ｘ　下ローラ
２４０，２４０ｘ，２５０，２５０ｘ　折りナイフ
３００　排出機構部
３１０　上排出ローラ
３２０　下排出ローラ
３３０　加圧ばね
４００　排出機構部
４１０　上排出ローラ
４２０　下排出ローラ
４３０　加圧ばね
９００　用紙
【図１】
2004067266.tif 000003
【図２】
2004067266.tif 000004
【図３】
2004067266.tif 000005
【図４】
2004067266.tif 000006